(57)【特許請求の範囲】
【請求項１】
デジタルＴＶ受像機の動作方法において、
デジタルＴＶ受像機の貯蔵装置にサービスネットワークを通して複数個の広告メッセージを貯蔵する段階と、
前記複数個の広告メッセージを貯蔵した後、前記デジタルＴＶ受像機に放送ネットワークを通してデジタルＴＶサービス提供者からビデオデータを受信する段階と、
前記デジタルＴＶ受像機から前記複数個の広告メッセージ及び前記受信されたビデオデータを出力する段階と、
前記貯蔵装置にそれ以上広告メッセージが貯蔵されていない場合、デジタルＴＶ受像機のデジタルＴＶ機能をディスエーブルすることを特徴とする方法。
【請求項２】
前記デジタルＴＶ機能がディスエーブルされた後、前記貯蔵装置に新しいセットの複数個の広告メッセージを貯蔵する段階と、その後、前記デジタルＴＶ受像機の前記デジタルＴＶ機能をイネーブルする段階とをさらに含むことを特徴とする請求項１に記載の方法。
【請求項３】
前記貯蔵装置に前記新しいセットの複数個の広告メッセージを貯蔵する段階は、サービスネットワークから前記新しいセットの複数個の広告メッセージをダウンロードすることによって行われることを特徴とする請求項２に記載の方法。
【請求項４】
前記出力段階は、前記貯蔵された複数個の広告メッセージが前記受信されたビデオデータと共にバナー広告メッセージとして出力されるように行われることを特徴とする請求項１に記載の方法。
【請求項５】
前記デジタルＴＶサービス提供者から付加ビデオデータを受信する段階と、
前記デジタルＴＶ受像機に前記複数個の広告メッセージを出力せずに前記付加ビデオデータを出力する段階と、
前記複数個の広告メッセージを出力せずに前記付加ビデオを出力する段階が行える期間を制限する段階とをさらに含むことを特徴とする請求項１に記載の方法。
【請求項６】
前記制限する段階は、
カウンターを所定値に初期化させる段階と、
前記複数個の広告メッセージ及び前記受信されたビデオデータを出力する段階が行われる時間に見合う分だけ前記カウンターをインクリメントする段階と、
前記複数個の広告メッセージを出力せずに前記付加ビデオを出力する段階が行われる時間に見合う分だけ前記カウンターをデクリメントする段階と、
前記カウンターが前記所定値に達する場合、前記複数個の広告メッセージを出力せずに前記付加ビデオを出力する段階を止める段階とによって行われることを特徴とする請求項５に記載の方法。
【請求項７】
前記所定値として０を提供することを特徴とする請求項６に記載の方法。
【請求項８】
前記カウンターを前記デジタルＴＶ受像機の構成要素として提供することを特徴とする請求項６に記載の方法。
【請求項９】
デジタルＴＶ受像機において、
放送ネットワークを通して受信され選択されたプログラムのビデオビットストリームをデコーディングして前記選択されたプログラムのデコーディングされたビデオビットストリームを得るためのビデオデコーダと、
サービスネットワークを通して受信した広告メッセージを表わすデータを貯蔵して貯蔵されたデータを得るためのバナー貯蔵装置と、
前記貯蔵されたデータをデコーディング及びレンダリングしてレンダリングされたデータを得るためのバナーレンダリングユニットと、
前記レンダリングされたデータ及び前記選択されたプログラムの前記デコーディングされたビデオビットストリームを結合して前記選択されたプログラムを表わす情報を含む結合されたビデオ出力信号を得るためのビデオ再構成ユニットと、
前記バナー貯蔵装置から前記貯蔵されたデータを読み出し、前記貯蔵されたデータを前記バナーレンダリングユニットに提供し、前記貯蔵装置にそれ以上広告メッセージが貯蔵されていない場合にディスエーブル信号を生じるためのバナー管理ユニットと、
前記結合されたビデオ出力信号を受信し、前記結合されたビデオ出力信号を出力するための前記ビデオ再構成ユニットに接続された出力ターミナルとを含むことを特徴とする受像機。
【請求項１０】
前記ディスエーブル信号を受信し、これに応答して前記出力ターミナルが前記選択されたプログラムを表わす情報を受信することを禁止することを特徴とする請求項９に記載の受像機。
【請求項１１】
前記ビデオ再構成ユニットにおいて前記レンダリングされたデータが前記選択されたプログラムのデコーディングされたビデオビットストリームと結合することによってインクリメントされる値を有するカウンターを含み、
前記ビデオ再構成ユニットは選択的に前記レンダリングされたデータ無しに前記選択されたプログラムを表わす情報を出力するように構成され、
前記カウンターの値は前記ビデオ再構成ユニットが前記レンダリングされたデータ無しに前記選択されたプログラムを表わす情報を出力する期間に比例してデクリメントされ、
前記カウンターの値が所定の下部境界値に達する場合、前記ビデオ再構成ユニットは前記レンダリングされたデータ無しに前記選択されたプログラムを表わす情報を出力することが禁止されることを特徴とする請求項９に記載の受像機。
【請求項１２】
前記貯蔵されたデータをサービスネットワークから前記バナー貯蔵装置へとダウンロードするためのネットワークアダプタをさらに含むことを特徴とする請求項９に記載の受像機。
【発明の詳細な説明】
【０００１】
【発明の属する技術分野】
本発明は貯蔵された広告メッセージをデジタルＴＶサービス提供者から受信された正規デジタルＴＶコンデンツと結合して出力させるデジタルＴＶ受像機及びこれを動作する方法に関する。
【０００２】
【従来の技術】
現在、デジタルＴＶ受像機の製造コストはアナログＴＶ受像機に比べてはるかに高く、このコストはそのまま消費者に転嫁される。また、消費者は放送ネットワークからデジタルＴＶプログラムを受信するためのコストを負担しなければならない。従って、消費者がより経済的にデジタルＴＶ受像機を購入でき、かつより経済的にデジタルＴＶプログラムを受信できるようにこれらのコストの負担を減らす必要がある。
【０００３】
【発明が解決しようとする課題】
そこで、本発明の目的は、前述したような従来の技術の短所を克服するデジタルＴＶ受像機及びそのデジタルＴＶ受像機を動作するための方法を提供するところにある。
【０００４】
特に、より具体的には、以前に貯蔵された広告メッセージがデジタルＴＶサービス提供者から受信されるデジタルＴＶコンデンツと結合して、結合された広告メッセージ及びコンデンツが消費者または加入者によって視聴できるようにするデジタルＴＶ受像機及びそのデジタルＴＶ受像機を動作するための方法を提供するところにある。
【０００５】
加入者は貯蔵された広告メッセージを受信する代価としてデジタルＴＶ受像機を割引きされた価格で提供されたり、付加的にまたは選択的に割引きされた価格でデジタルＴＶサービス提供者からデジタルビデオプログラムを受信する契約に同意できる。ここで、前記割引きされた価格はほとんど無料に近い価格でありうるという点を理解しなければならない。前記契約を推し進めるサービス運営者はデジタルＴＶ受像機に広告メッセージを貯蔵する主体にコストを負担させることによって収入を得ることができる。このような方式で得られた収入は加入者に転嫁されるコストを差し引きするのに使用できる。次に、貯蔵された広告メッセージはデジタルＴＶサービス提供者から受信されたコンデンツのような正規デジタルＴＶコンデンツと共に出力される。
【０００６】
【課題を解決するための手段】
前記本発明の目的を達成するために、本発明に係るデジタルＴＶ受像機の動作方法は、デジタルＴＶ受像機の貯蔵装置にサービスネットワークを通して複数個の広告メッセージを貯蔵する段階と、前記複数個の広告メッセージを貯蔵した後、前記デジタルＴＶ受像機に放送ネットワークを通してデジタルＴＶサービス提供者からビデオデータを受信する段階と、前記デジタルＴＶ受像機から前記複数個の広告メッセージ及び前記受信されたビデオデータを出力する段階と、前記貯蔵装置にそれ以上広告メッセージが貯蔵されていない場合、デジタルテルレビ受像機のデジタルＴＶ機能をディスエーブルすることを特徴とする。
【０００７】
本発明のより望ましい実施形態によれば、前記デジタルＴＶ機能がディスエーブルされた後、前記貯蔵装置に新しいセットの複数個の広告メッセージを貯蔵する段階と、その後に前記デジタルＴＶ受像機の前記デジタルＴＶ機能をイネーブルする段階とをさらに含むことを特徴とする。
【０００８】
本発明のより望ましい実施形態によれば、前記貯蔵装置に前記新しいセットの複数個の広告メッセージを貯蔵する段階は、サービスネットワークから前記新しいセットの複数個の広告メッセージをダウンロードすることによって行われることを特徴とする。
【００１０】
本発明のより望ましい実施形態によれば、前記出力段階は、前記貯蔵された複数個の広告メッセージが前記受信されたビデオデータと共にバナー広告メッセージとして出力されるように行われることを特徴とする。
【００１３】
本発明のより望ましい実施形態によれば、前記デジタルＴＶサービス提供者から付加ビデオデータを受信する段階と、前記デジタルＴＶ受像機に前記複数個の広告メッセージを出力せずに前記付加ビデオデータを出力する段階と、前記複数個の広告メッセージを出力せずに前記付加ビデオを出力する段階が行える期間を制限する段階とをさらに含むことを特徴とする。
【００１４】
本発明のより望ましい実施形態によれば、前記制限する段階は、カウンターを所定値に初期化させる段階と、前記複数個の広告メッセージ及び前記受信されたビデオデータを出力する段階が行われる時間に見合う分だけ前記カウンターをインクリメントする段階と、前記複数個の広告メッセージを出力せずに前記付加ビデオを出力する段階が行われる時間に見合う分だけ前記カウンターをデクリメントする段階と、前記カウンターが前記所定値に達する場合、前記複数個の広告メッセージを出力せずに前記付加ビデオを出力する段階を止める段階とによって行われることを特徴とする。
【００１５】
本発明の望ましい実施形態によれば、前記所定値として０を提供することを特徴とする。
【００１６】
本発明のより望ましい実施形態によれば、前記カウンターを前記デジタルＴＶ受像機の構成要素として提供することを特徴とする。
【００１７】
前記目的を達成するために、本発明に係るデジタルＴＶ受像機は、放送ネットワークを通して受信され選択されたプログラムのビデオビットストリームをデコーディングして前記選択されたプログラムのデコーディングされたビデオビットストリームを得るためのビデオデコーダと、サービスネットワークを通して受信した広告メッセージを表わすデータを貯蔵して貯蔵されたデータを得るためのバナー貯蔵装置と、前記貯蔵されたデータをデコーディング及びレンダリングしてレンダリングされたデータを得るためのバナーレンダリングユニットと、前記レンダリングされたデータ及び前記選択されたプログラムの前記デコーディングされたビデオビットストリームを結合して前記選択されたプログラムを表わす情報を含む結合されたビデオ出力信号を得るためのビデオ再構成ユニットと、前記バナー貯蔵装置から前記貯蔵されたデータを読み出し、前記貯蔵されたデータを前記バナーレンダリングユニットに提供し、前記貯蔵装置にそれ以上広告メッセージが貯蔵されていない場合にディスエーブル信号を生じるためのバナー管理ユニットと、前記結合されたビデオ出力信号を受信し、前記結合されたビデオ出力信号を出力するための前記ビデオ再構成ユニットに接続された出力ターミナルとを含むことを特徴とする。
【００１８】
本発明のより望ましい実施形態によれば、前記ディスエーブル信号を受信し、これに応答して前記出力ターミナルが前記選択されたプログラムを表わす情報を受信することを禁止することを特徴とする。
【００１９】
本発明のより望ましい実施形態によれば、前記ビデオ再構成ユニットにおいて前記レンダリングされたデータが前記選択されたプログラムのデコーディングされたビデオビットストリームと結合することによってインクリメントされる値を有するカウンターを含み、前記ビデオ再構成ユニットは選択的に前記レンダリングされたデータ無しに前記選択されたプログラムを表わす情報を出力するように構成され、前記カウンターの値は前記ビデオ再構成ユニットが前記レンダリングされたデータ無しに前記選択されたプログラムを表わす情報を出力する期間に比例してデクリメントされ、前記カウンターの値が所定の下部境界値に達する場合、前記ビデオ再構成ユニットは前記レンダリングされたデータ無しに前記選択されたプログラムを表わす情報を出力することが禁止されることを特徴とする。
【００２０】
本発明のより望ましい実施形態によれば、前記貯蔵されたデータを外部ネットワークから前記バナー貯蔵装置へとダウンロードするためのネットワークアダプターをさらに含むことを特徴とする。
【００２１】
【発明の実施の形態】
以下、本発明の望ましい実施形態を添付した図面を参照してより詳細に説明する。
【００２２】
図１は、従来のデジタルＴＶ受像機２０のブロック図である。これを参照すれば、デジタルＴＶ受像機２０は、ユーザが選択または調整したチャンネルの入力信号を受信するためのチャンネル復調器１０を備える。チャンネル復調器１０は符号化したビットストリームを各々含む伝送ストリーム（Ｔｒａｎｓｐｏｒｔ  Ｓｔｒｅａｍ）パケットのシリーズよりなるマルチ−プログラム伝送ストリーム２２を出力する。伝送ストリームパケットは、例えばＭＰＥＧ−２及びＡＣ−３オーディオコーディングを使って符号化したビデオコンデンツプログラムを含む。
【００２３】
ＴＳデマルチプレクサ１２はマルチ−プログラム伝送ストリーム２２を受信し、システム制御ユニット１８から受信された命令３０によって伝送ストリーム２２の多数のパケットをデマルチプレクシングする。システム制御ユニット１８は初期に選択されたチャンネルにおけるプログラムのビット−ストリームパケットのパケット識別コード（ＰＩＤ）のようなシステム情報（ＳＩ）を抽出するように指示する。一旦ユーザがチャンネルから特定プログラムを選択すれば、システム制御ユニット１８は選択されたプログラムと関わったＰＩＤを有するビットストリームパケットをＴＳデマルチプレクサ１２に伝送する。次に、ＴＳデマルチプレクサ１２は選択されたプログラムのオーディオ及びビデオビットストリーム２４を抽出し、抽出されたオーディオ及びビデオビット−ストリーム２４をこれらと関わったオーディオ及びビデオデコーダ１４に伝送する。次に、オーディオ及びビデオデコーダ１４は選択されたプログラムのオーディオ及びビデオビット−ストリームを各々デコーディングし、デコーディングされたビデオ信号２６及びデコーディングされたオーディオ信号２８を出力する。
【００２４】
図２は、独創的なデジタルＴＶ受像機、具体的には放送ネットワーク３２を通じて受信できるバナーが活性化したデジタルＴＶ受像機（Ｂａｎｎｅｒ  Ａｃｔｉｖａｔｅｄ  Ｄｉｇｉｔａｌ  Ｔｅｌｅｖｉｓｉｏｎ  Ｒｅｃｅｉｖｅｒ；ＢＡＤＴＶＲ）３０の動作を説明するための図である。デジタルビデオＴＶコンテンツは地上デジタルＴＶ放送サービス提供者、デジタルケーブルＴＶサービス提供者、デジタル衛星ＴＶサービス提供者、及び注文型ビデオサービス提供者から提供できる。ＢＡＤＴＶＲ  ３０は広告メッセージがバナービットストリームの形で貯蔵されるバナー貯蔵装置３６を備える。バナービットストリームがバナー貯蔵装置に貯蔵されている場合、ＢＡＤＴＶＲ  ３０は放送ネットワーク３２から提供された正規デジタルオーディオ及びデジタルビデオコンテンツを出力できる。ＢＡＤＴＶＲ  ３０は正規デジタルオーディオ及びデジタルビデオコンデンツと同時にバナービットストリームを出力し続ける。しかし、バナービットストリームがバナー貯蔵装置３６にそれ以上貯蔵されていない場合、ＢＡＤＴＶＲ  ３０のデジタルＴＶ機能はディスエーブルされ、正規ビデオ及び／またはオーディオコンデンツはそれ以上出力できなくなる。
【００２５】
サービス運営者（Ｓｅｒｖｉｃｅ  Ｏｐｅｒａｔｏｒ；ＳＯ）４０はこれらの広告メッセージを占めるための企業体または他の機関に料金を請求することによって付加的な収入を得ることができる。ＳＯ  ４０と加入者との間の販売促進契約は加入者がこれらの広告メッセージを受信することに動機を与えるために経済的なインセンティブを提供できる。例えば、これらの広告メッセージを見る代価として、加入者に料金を支払わせなかったり、または通常の料金よりも割引きされた価格でデジタルＴＶコンデンツを受信できるようにする。選択的にまたは付加的に、加入者は料金を支払わなかったり、または通常よりも割引きされた価格でＢＡＤＴＶＲ  ３０を提供できる。ＳＯ  ４０はデジタルＴＶサービス提供者３８と同一の主体でもありうるが、必ずしもそうである限りではない。
【００２６】
複数の広告メッセージまたはバナーを表わす複数のビット−ストリームはサービスネットワーク３４を通じてＳＯからＢＡＤＴＶＲ  ３０に位置したバナー貯蔵装置３６にダウンロードできる。その後、正規デジタルビデオ及びオーディオコンデンツがＢＡＤＴＶＲ  ３０によって受信される間に、バナービット−ストリームはバナー貯蔵装置３６から提供されて、図３に示されたように、バナー４４は正規デジタルビデオコンデンツ４３と共に陰極選管（ＣＲＴ）のようなディスプレー装置４２によりディスプレーされる。全てのバナービットストリームが貯蔵装置３６から読み出されてディスプレー装置４２によりディスプレーされた場合、制御ユニットはディスエーブル信号を生じる。ディスエーブル信号に応答してＢＡＤＴＶＲ  ３０のデジタルＴＶの機能はディスエーブルされる。
【００２７】
図４は、ＢＡＤＴＶＲ  ３０の一実施形態の詳細ブロック図である。図１に示された構成要素と同一の構成要素には同一の参照番号を附し、その機能は実質的に同一なため、これらについての詳細な説明は省略する。また、図２に示されたバナー貯蔵装置３６は同一の参照番号を使って示された。
【００２８】
バナー管理者５０はバナー貯蔵装置３６からバナービットストリーム６０を提供されて、バナービットストリーム６２をバナーレンダリングユニット５２に提供する。バナーレンダリングユニット５２はバナービットストリーム６２をデコーディング及びレンダリングする。次に、ビデオ再構成ユニット５４はレンダリングされたバナービットストリーム６４をデコーディングされたビデオ信号２６と結合し、その結果６６を出力ターミナル７０に出力してディスプレー装置によりディスプレーする。
【００２９】
全てのバナービットストリーム６０がデコーディングされたビデオ信号２６と結合されてディスプレーされるように出力された場合、バナー管理者５０はシステム制御ユニット１８にディスエーブル信号を直ちに伝送する。ディスエーブル信号は二つの論理状態を有する結合されたイネーブル／ディスエーブル信号５８の一部でありうる。
【００３０】
ディスエーブル信号を受信する場合、システム制御ユニット１８は、当業者に自明な方式によりＢＡＤＴＶＲ  ３０のデジタルＴＶ機能をディスエーブルさせる。また、システム制御ユニット１８は加入者にバナー貯蔵装置３６に新しいセットのバナービットストリームが貯蔵されるべき旨を通知する。バナー管理者５０は新しいセットのバナービットストリームをダウンロードするために、システム制御ユニット１８により生じた信号に応答して自動的に、または加入者の操作によりサービス運営者サービスネットワーク３４に接続できる。新しいセットのバナービットストリームがダウンロードされた後、バナー管理者５０はＢＡＤＴＶＲ  ３０のデジタルＴＶ機能を再びイネーブルするためにシステム制御ユニット１８にシステムイネーブル信号を出力する。
【００３１】
図５は、ＢＡＤＴＶＲ  ３０’の他の実施形態の詳細ブロック図である。図４に示された構成要素は符号「’」が附された点を除いては同一の参照番号を有し、これらの機能は実質的に同一なため、これらについての詳細な説明は省略する。ＢＡＤＴＶＲ  ３０’の他の実施形態にはバナー視聴カウンター６８’がさらに提供される。ＢＡＤＴＶＲ  ３０’は加入者が正規デジタルビデオコンデンツ４３を視聴したり、または視聴画面にバナー４４が付いていないＴＶプログラムを視聴することを選択できるようにする。
【００３２】
バナー４４が正規デジタルビデオコンデンツ４３と共にディスプレーされる間に、バナー視聴カウンター６８’の値はバナー４４がディスプレーされる時間に比例して０からインクリメントされる。加入者がバナー４４が付いていない正規デジタルビデオコンデンツ４３を視聴することを決めた場合、加入者は適切な入力信号を活性化でき、バナー管理者５０’はバナー視聴カウンター６８’の値が０以上であるかどうかを確認する。
【００３３】
バナー視聴カウンター６８’の値が０以上である場合、バナー管理者５０’はシステム制御ユニット１８’にイネーブル信号を送り続けることによって加入者が正規デジタルビデオコンデンツ４３を視聴できるようにし、ビデオ再構成ユニット５４’はデコーディングされたビデオ信号２６’だけを出力してバナー４４はディスプレーされないようにする。しかし、この場合、バナー視聴カウンター６８’の値はデコーディングされたビデオ信号２６がバナー４４無しにディスプレーされた時間に比例してデクリメントされる。バナー視聴カウンター６８’が０に達する場合、バナー管理者５０’はバナー貯蔵装置３６’にディスプレーされていないバナービットストリームが貯蔵されていているかどうかを検査する。
【００３４】
貯蔵されたバナービットストリームがある場合、バナー管理者５０’はシステム制御ユニット１８’にイネーブル信号を送って加入者が正規デジタルビデオコンデンツを視聴し続けられるようにする。しかし、この場合、ビデオ再構成ユニット５４’はデコーディングされたビデオ信号２６’及びレンダリングされたバナービットストリーム６４’を結合してバナー４４をディスプレーさせる。
【００３５】
もし、バナー貯蔵装置３６’にディスプレーされていないバナービットストリームがない場合、バナー管理者５０’はシステム制御ユニット１８’にディスエーブル信号を直ちに送って、ＢＡＤＴＶＲ  ３０’のデジタルＴＶ機能をディスエーブルさせる。システム制御ユニット１８’は加入者にバナー貯蔵装置３６’に新しいセットのバナービットストリームが貯蔵されるべき旨を通知する。バナー管理者５０’は新しいセットのバナービットストリームをダウンロードするために、システム制御ユニット１８’により生じた信号に応答して自動的に、または加入者の操作によりサービス運営者サービスネットワーク３４に接続できる。新しいセットのバナービットストリームがダウンロードされた後、バナー管理者５０’はＢＡＤＴＶＲ  ３０’のデジタルＴＶ機能を再びイネーブルするためにシステム制御ユニット１８’にシステムイネーブル信号を出力する。
【００３６】
以上、図面及び明細書において最適の実施形態が開示された。ここで、特定の用語が使用されたが、これは単に本発明を説明するための目的から使用されたものであり、意味の限定や特許請求の範囲に記載された本発明の範囲を制限するために使用されたものではない。従って、この技術分野の通常の知識を有した者であれば、これより各種の変形及び均等な他の実施形態が可能であるという点を理解できるのであろう。よって、本発明の真の技術的な保護範囲は特許請求の範囲上の技術的な思想によって定まるべきである。
【００３７】
【発明の効果】
以上述べたように、本発明に係るデジタルＴＶ受像機及びそのデジタルＴＶ受像機を動作するための方法によれば、加入者はデジタルＴＶ受像機を割引きされた価格で提供されたり、付加的にまたは選択的に割引きされた価格でデジタルＴＶサービス提供者からデジタルビデオプログラムを受信できるようにして、消費者がデジタルＴＶ受像機を購入するのにかかるコストと、デジタルＴＶ受像機を使ってデジタルビデオプログラムを受信するためのコストを低減できる効果がある。
【図面の簡単な説明】
【図１】従来のデジタルＴＶ受像機のブロック図である。
【図２】ＢＡＤＴＶＲを示した図である。
【図３】バナー及び正規デジタルＴＶビデオコンデンツを出力するディスプレー装置を示した図である。
【図４】本発明の一実施形態によるＢＡＤＴＶＲの詳細ブロック図である。
【図５】本発明の他の実施形態によるＢＡＤＴＶＲの詳細ブロック図である。
【符号の説明】
１０、１０’  チャンネル復調器
１２、１２’  ＴＳデマルチプレクサ
１４、１４’  オーディオ／ビデオデコーダ
１６、１６’  ユーザインタフェース
１８、１８’  システム制御ユニット
２６、２６’  デコーディングされたビデオ信号
３０、３０’  デジタルＴＶ受像機（ＢＡＤＴＶＲ）
３２  放送ネットワーク
３４  サービスネットワーク
３６、３６’  バナー貯蔵装置
３８  デジタルＴＶサービス提供者
４０  サービス運営者（ＳＯ）
４２  ディスプレー装置
４３  正規デジタルビデオコンデンツ
４４  バナー
５０、５０’  バナー管理者
５２、５２’  バナーレンタリングユニット
５６、５６’  ネットワークアダプタ
５８  イネーブル／ディスエーブル信号
６０、６２  バナービットストリーム
６４、６４’  レンダリングされたバナービットストリーム
６６  結果
６８’  バナー視聴カウンター
７０  出力ターミナル
【図１】
0003616052.tif 000002
【図２】
0003616052.tif 000003
【図３】
0003616052.tif 000004
【図４】
0003616052.tif 000005
【図５】
0003616052.tif 000006